(57)【特許請求の範囲】
【請求項１】
外部又は内部の表示画面に番組表を表示する表示処理装置であって、
上記番組表のある番組セルにカーソルを移動させる操作が行われた場合に表示すべきＷＥＢコンテンツの取得先を示す取得先情報と、上記表示画面内における上記ＷＥＢコンテンツの表示領域を示す表示領域情報とを取得する情報取得手段と、
上記取得先情報が示す上記取得先から上記ＷＥＢコンテンツを取得するコンテンツ取得手段と、
上記番組表の上記ある番組セルにカーソルを移動させる操作が行われた場合に、上記番組表を表示しながら、上記表示領域情報が示す上記表示領域に上記ＷＥＢコンテンツを表示する表示処理手段と、を備えていることを特徴とする表示処理装置。
【請求項２】
上記情報取得手段は、上記取得先情報及び上記表示領域情報を含むイベント情報テーブルを受信することにより、上記取得先情報及び上記表示領域情報を取得する、
ことを特徴とする請求項１に記載の表示処理装置。
【請求項３】
外部又は内部の表示画面に番組表を表示する表示処理装置であって、
上記番組表の中から番組が選択された場合に表示すべきＷＥＢコンテンツの取得先を示す取得先情報と、上記表示画面内における上記ＷＥＢコンテンツの表示領域を示す表示領域情報とを取得する情報取得手段と、
上記取得先情報が示す上記取得先から上記ＷＥＢコンテンツを取得するコンテンツ取得手段と、
上記番組表の中から上記番組が選択された場合に、上記表示領域情報が示す上記表示領域に上記ＷＥＢコンテンツを表示する表示処理手段と、を備え、
上記情報取得手段は、上記取得先情報及び上記表示領域情報を含むイベント情報テーブルを受信することにより、上記取得先情報及び上記表示領域情報を取得し、
上記表示処理手段は、上記表示画面の全表示領域を分割した所定の複数の領域の中から予め決められた或る領域に上記番組表を表示するようになっており、
上記表示領域情報が示す表示領域は、上記所定の複数の領域のうちの、上記或る領域以外の何れかの領域であり、
上記表示処理手段は、上記情報取得手段が受信した上記イベント情報テーブルに上記取得先情報と上記表示領域情報とのペアが１対以上含まれている場合に、各ペアについて、当該ペアを成す表示領域情報が示す表示領域に、当該ペアを成す取得先情報が示す取得先から取得したＷＥＢコンテンツを表示する、
ことを特徴とする表示処理装置。
【請求項４】
外部又は内部の表示画面に番組表を表示する表示処理装置であって、
上記番組表の中から番組が選択された場合に表示すべきＷＥＢコンテンツの取得先を示す取得先情報と、上記表示画面内における上記ＷＥＢコンテンツの表示領域を示す表示領域情報とを取得する情報取得手段と、
上記取得先情報が示す上記取得先から上記ＷＥＢコンテンツを取得するコンテンツ取得手段と、
上記番組表の中から上記番組が選択された場合に、上記表示領域情報が示す上記表示領域に上記ＷＥＢコンテンツを表示する表示処理手段と、を備え、
上記情報取得手段は、上記番組表の表示領域を示す番組表表示領域情報を更に取得するようになっており、
上記表示処理手段は、上記番組表表示領域情報が示す表示領域に上記番組表を表示する、
ことを特徴とする表示処理装置。
【請求項５】
番組表の中から番組を選択する操作を受け付けた表示処理装置が表示画面に表示すべきＷＥＢコンテンツの取得先を示す取得先情報と、上記表示画面内における上記ＷＥＢコンテンツの表示領域を示す表示領域情報と、上記番組表の表示領域を示す番組表表示領域情報と、を生成する情報生成手段と、
上記情報生成手段により生成された上記取得先情報、上記番組表表示領域情報、及び上記表示領域情報を送出する送出手段と、を備えている、
ことを特徴とする情報生成装置。
【請求項６】
請求項１から４の何れか１項に記載の表示処理装置と、請求項５に記載の情報生成装置と、を含んでいる、
ことを特徴とする放送システム。
【請求項７】
表示画面に番組表を表示する表示処理装置の表示処理方法であって、
上記番組表のある番組セルにカーソルを移動させる操作が行われた場合に表示すべきＷＥＢコンテンツの取得先を示す取得先情報と、上記表示画面内における上記ＷＥＢコンテンツの表示領域を示す表示領域情報とを取得する情報取得工程と、
上記取得先情報が示す上記取得先から上記ＷＥＢコンテンツを取得するコンテンツ取得工程と、
上記番組表の上記ある番組セルにカーソルを移動させる操作が行われた場合に、上記番組表を表示しながら、上記表示領域情報が示す上記表示領域に上記ＷＥＢコンテンツを表示する表示処理工程と、を含んでいることを特徴とする表示処理方法。
【発明の詳細な説明】
【技術分野】
【０００１】
本発明は、外部又は内部の表示画面に番組表を表示する表示処理装置、及び表示処理方法に関する。また、表示処理装置の各手段を備えるテレビジョン受像機、表示処理装置に送出する情報を生成する情報生成装置、及び表示処理装置と、情報生成装置とを含む放送システムに関する。さらに、表示処理装置としてコンピュータを動作させるためのプログラム、及び、そのようなプログラムが記録されている記録媒体に関する。
【背景技術】
【０００２】
従来から、デジタル放送を受信可能なテレビにおいて、電子番組表（ＥＰＧ：Electrical Programming Guide）を表示することが行われている。電子番組表においては、放送番組の放送チャンネルを示す軸を横軸とし、放送番組の放送時刻を示す軸を縦軸として、各番組の情報を示す番組情報がマトリックス状に配置されて表示される。ユーザは、電子番組表の中から番組を選択することにより、選局を行ったり、視聴予約または録画予約を行ったりすることができる。また、ディスプレイの高精細化に伴って、電子番組表を表示する際に、番組情報に更なる情報を付加させることにより、ユーザに有益な情報を提供することも行われている。
【０００３】
例えば、特許文献１及び特許文献２には、番組表データにＵＲＬ（Uniform Resource Locator）情報を付加することにより、番組の映像と、該番組に関連するＷＥＢページとを同時に表示する技術が開示されている。また、特許文献３には、番組情報と、ＷＥＢページのＵＲＬ情報とを予め関連づけることにより、番組表と、当該番組表において選択されている番組に関連づけられたＵＲＬ情報が示すＷＥＢページとを同時に表示する技術が記載されている。
【先行技術文献】
【特許文献】
【０００４】
【特許文献１】特開平１０−１７７５３２号公報（１９９８年６月３０日公開）
【特許文献２】特開平１１−２７５５３７号公報（１９９９年１０月８日公開）
【特許文献３】特開２００９−１１２０４９号公報（２００９年５月２１日公開）
【発明の概要】
【発明が解決しようとする課題】
【０００５】
上記のような従来技術では、放送事業者は、表示装置において、ＷＥＢページがどのようなレイアウトで表示されているかを把握することができない。
【０００６】
例えば、特許文献３に記載の技術は、番組情報と、ＷＥＢページのＵＲＬ情報とが予め関連づけられているのみであり、当該ＷＥＢページを表示する表示領域を指定するものではない。したがって、当該ＷＥＢページは、表示装置自身によって定められた表示領域に表示されるため、放送事業者は、各表示装置において、ＷＥＢページがどのようなレイアウトで表示されているかを把握することができない。
【０００７】
即ち、上記のような従来技術を用いた場合、放送事業者は、番組表の表示位置とＷＥＢページ（番組表の中から選択されている番組のスポンサーのホームページ等）の表示位置との位置関係に応じた広告料を該スポンサーから徴収するようなビジネスを行うことができない。
【０００８】
本発明は、上記の問題に鑑みてなされたものであり、その目的は、番組表の中から番組が選択された場合に表示すべきＷＥＢコンテンツを予め外部で定められたレイアウトで表示することが可能な表示装置を提供すること、及び、番組表の中から番組を選択する操作を受け付けた表示処理装置に、表示すべきＷＥＢコンテンツを上記レイアウトで表示させることが可能な情報生成装置を提供することにある。
【課題を解決するための手段】
【０００９】
上記の課題を解決するために、本発明の一態様に係る表示処理装置は、外部又は内部の表示画面に番組表を表示する表示処理装置であって、上記番組表の中から番組が選択された場合に表示すべきＷＥＢコンテンツの取得先を示す取得先情報と、上記表示画面内における上記ＷＥＢコンテンツの表示領域を示す表示領域情報とを取得する情報取得手段と、上記取得先情報が示す上記取得先から上記ＷＥＢコンテンツを取得するコンテンツ取得手段と、上記番組表の中から上記番組が選択された場合に、上記表示領域情報が示す上記表示領域に上記ＷＥＢコンテンツを表示する表示処理手段と、を備えていることを特徴としている。
【００１０】
また、上記の課題を解決するために、本発明の一態様に係る情報生成装置は、番組表の中から番組を選択する操作を受け付けた表示処理装置が表示画面に表示すべきＷＥＢコンテンツの取得先を示す取得先情報と、上記表示画面内における上記ＷＥＢコンテンツの表示位置を示す位置情報とを生成する情報生成手段と、上記情報生成手段により生成された上記取得先情報及び上記位置情報を送出する送出手段と、を備えている、ことを特徴としている。
【００１１】
また、上記の課題を解決するために、本発明の一態様に係る表示処理方法は、表示画面に番組表を表示する表示処理装置の表示処理方法であって、上記番組表の中から番組が選択された場合に表示すべきＷＥＢコンテンツの取得先を示す取得先情報と、上記表示画面内における上記ＷＥＢコンテンツの表示領域を示す表示領域情報とを取得する情報取得工程と、上記取得先情報が示す上記取得先から上記ＷＥＢコンテンツを取得するコンテンツ取得工程と、上記番組表の中から上記番組が選択された場合に、上記表示領域情報が示す上記表示領域に上記ＷＥＢコンテンツを表示する表示処理工程と、を含んでいることを特徴としている。
【発明の効果】
【００１２】
本発明の一態様によれば、番組表の中から番組が選択された場合に表示すべきＷＥＢコンテンツを予め外部で定められたレイアウトで表示することが可能な表示装置を提供することができる。また、本発明の一態様によれば、番組表の中から番組を選択する操作を受け付けた表示処理装置に、表示すべきＷＥＢコンテンツを上記レイアウトで表示させることが可能な情報生成装置を提供することができる。
【図面の簡単な説明】
【００１３】
【図１】本発明の一実施形態に係る表示処理装置の備える制御部の構成を示すブロック図である。
【図２】本発明の一実施形態に係る表示処理装置の構成を示すブロック図である。
【図３】図２に示す表示処理装置と、当該表示処理装置に送出する情報を生成する情報生成装置とを含む放送システムの構成を示すブロック図である。
【図４】図３に示す情報生成装置の備えるＳＩ／ＥＰＧ生成部が生成する取得先情報及び表示領域情報の一例を示す図である。
【図５】図２に示す表示処理装置が、受信したイベント情報テーブルを解析することにより作成する番組情報テーブルの一例を示す図である。
【図６】図２に示す表示処理装置が表示する番組表画面の一例を示す図である。
【図７】図２に示す表示処理装置が表示する番組表画面の他の一例を示す図である。
【図８】図２に示す表示処理装置が表示する番組表画面の他の一例を示す図であって、（ａ）は、或る番組が選択された場合に表示すべき複数のＷＥＢコンテンツの各々の取得先情報及び表示領域情報のペアの一例を示しており、（ｂ）は、（ａ）に示す各ペアについて、当該ペアを成す取得先情報が示す取得先から取得したＷＥＢコンテンツを表示する場合の番組表画面の一例を示している。
【図９】図２に示す表示処理装置が番組表を表示する際の動作の一例を示すフローチャートである。
【図１０】図２に示す表示処理装置が表示する番組表画面の他の例を示す図である。（ａ）は、表示画面の右半分に複数のＷＥＢコンテンツが互いに重なりあうように配置された番組表画面の例を示し、（ｂ）は、表示画面の右半分に表示すべきＷＥＢコンテンツを複数のＷＥＢコンテンツの中からユーザが選択できるように構成された番組表画面の例を示している。
【図１１】図１に示す表示処理装置の構成例を示す外観図であり、（ａ）は表示処理装置、及び当該表示処理装置に接続される外付けディスプレイを示す外観図であり、（ｂ）はディスプレイを備えた表示処理装置を示す外観図であり、（ｃ）は表示処理装置、及び当該表示処理装置に接続される再生装置を示す外観図である。
【発明を実施するための形態】
【００１４】
〔第１の実施形態〕
本発明の一実施形態に係る表示処理装置について、図面に基づいて説明すれば以下の通りである。なお、本実施形態に係る表示処理装置は、テレビジョン受像機として実現されているので、以下ではこれを「テレビ」と呼ぶ。ただし、本発明の適用範囲は、外部又は内部の表示画面に番組表を表示する表示機能を有する表示処理装置一般に及ぶものであって、テレビに限定されるものではない。なお、以下の説明において、「番組表」は、放送チャンネルを示す軸と、放送時刻を示す軸とによって張られる平面に番組情報が配置される一般的な電子番組表であるが、これは本発明を限定するものではない。すなわち、複数の番組の中から何れかの番組を選択することが可能な番組表であればよく、番組表の構成は上記の構成に限定されるものではない。
【００１５】
また、本明細書において、番組表における番組を選択するとは、当該番組にカーソルを合わせることを指す。本明細書における「選択する」との文言は、他の文献において、「フォーカスする」と表現されることもある。
【００１６】
（テレビの構成）
まず、本実施形態に係るテレビ（表示処理装置）１０の構成について、図２を参照して説明する。図２は、テレビ１０の構成を示すブロック図である。
【００１７】
テレビ１０は、図２に示すように、外部入力端子１０１、地上デジタル放送チューナ１０２（取得手段）、衛星放送チューナ１０３、録画再生部１０４、ＢＤドライブ１０５、映像セレクタ１０６、映像処理回路１０７、ＯＳＤ（On-Screen Display）生成部１０８、ＬＣＤ（Liquid Crystal Display）コントローラ１０９、ＬＣＤ１１０、音声セレクタ１１１、音声処理回路１１２、アンプ１１３、スピーカ１１４、通信部１１５、ＲＯＭ１１６、ＲＡＭ１１７、制御部１１８、赤外線受光部１１９、カメラ１２０、および、ＨＤドライブ１２１を備えている。図２においては、映像信号の経路を実線で、音声信号の経路を１点鎖線で、データや制御信号の経路（バス）を太線で示している。
【００１８】
外部入力端子１０１は、映像入力端子１０１ａと音声入力端子１０１ｂとを含む。映像入力端子１０１ａは、映像信号を入力するためのものであり、例えば、ＤＶＩ端子である。音声入力端子１０１ｂは、音声信号を入力するためのものであり、例えば、Ｓ／ＰＤＩＦ端子である。ただし、外部入力端子１０１は、これに限定されず、映像入力端子１０１ａと音声入力端子１０１ｂとが一体化されたＨＤＭＩ（High-Definition Multimedia Interface、登録商標）端子などであってもよい。
【００１９】
地上デジタル放送チューナ１０２は、地上デジタル放送により放送される放送番組及び放送番組に付加されているＥＩＴ（Event Information Table、イベント情報テーブル）を受信するためのチューナである。受信したＥＩＴには、放送番組の情報を示す番組情報が含まれている。なお、「番組情報」には、例えば、当該番組情報の示す放送番組を示すイベントＩＤ（EventID）、当該放送番組の放送チャンネルを示すサービスＩＤ（ServiceID）、番組名、放送日時、出演者名、及び、当該放送番組に関する説明などが含まれる。
【００２０】
なお、次世代の超高精細度テレビジョン放送においては、ＭＨ−ＥＩＴ(MPEG-H Event Information Table)と呼ばれるＥＩＴが用いられる。本明細書中における「ＥＩＴ」との文言には、「現行放送のＥＩＴ」及び「ＭＨ−ＥＩＴ」の双方が含まれるものとする。
【００２１】
地上デジタル放送チューナ１０２は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００２２】
地上デジタル放送チューナ１０２により受信されたＥＩＴは、制御部１１８に供給される。また、地上デジタル放送チューナ１０２により復調されたＭＰＥＧ２ストリームは、バスを介して録画再生部１０４に供給される。さらに、地上デジタル放送チューナ１０２により復号された映像信号および音声信号は、それぞれ、映像セレクタ１０６および音声セレクタ１１１に供給される。なお、地上デジタル放送チューナ１０２が何れのチャンネルを復調対象として選択するかは、制御部１１８により制御される。
【００２３】
なお、地上デジタル放送チューナ１０２は、異なるチャンネルを介して放送される２つのＭＰＥＧ２ストリームを同時に復調することが可能なダブルチューナであることが好ましい。この場合、地上デジタル放送チューナ１０２は、選局対象チャンネルとして選択した第１のチャンネルを介して放送されるＭＰＥＧ２ストリームを録画再生部１０４に供給すると共に、そのＭＰＥＧ２ストリームから復号した映像信号および音声信号を映像セレクタ１０６および音声セレクタ１１１に供給する。また、地上デジタル放送チューナ１０２は、録画対象チャンネルとして選択した第２のチャンネルを介して放送されるＭＰＥＧ２ストリームを録画再生部１０４に供給する。
【００２４】
もちろん、本発明に係る地上デジタル放送チューナ１０２は、ダブルチューナに限定されるものではなく、例えば、シングルチューナであってもよく、３つ以上のチューナを備える複数のチューナであってもよい。地上デジタル放送チューナ１０２がシングルチューナである場合には、ユーザが放送番組を視聴していないときに限って、放送番組を表すＭＰＥＧ２ストリームを録画再生部１０４に供給することができる。また、地上デジタル放送チューナ１０２が複数のチューナによって構成される場合には、チャンネル毎、放送波毎、又は、視聴者毎（例えば、お父さん、お母さん、及び、子供など）に、異なるチャンネルを介して放送される放送番組を表すＭＰＥＧ２ストリームを録画再生部１０４に供給することができる。
【００２５】
衛星放送チューナ１０３は、衛星放送により放送される放送番組及びＥＩＴを受信するためのチューナである。衛星放送チューナ１０３は、地上デジタル放送チューナ１０２と同様に、番組情報を取得するための取得手段としても機能する。衛星放送チューナ１０３は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００２６】
衛星放送チューナ１０３により受信されたＥＩＴは、制御部１１８に供給される。また、衛星放送チューナ１０３により復調されたＭＰＥＧ２ストリームは、録画再生部１０４に供給される。さらに、衛星放送チューナ１０３により復号された映像信号および音声信号は、それぞれ、映像セレクタ１０６および音声セレクタ１１１に供給さる。なお、衛星放送チューナ１０３が何れのチャンネルを介して伝送されるＭＰＥＧ２データストリームを復調するかは、制御部１１８により選択される。
【００２７】
なお、本実施形態における衛星放送チューナ１０３は、地上デジタル放送チューナ１０２と同様、異なるチャンネルを介して放送される２つの放送番組を同時に受信することが可能なダブルチューナであることが好ましい。
【００２８】
録画再生部１０４は、録画部１０４ａと再生部１０４ｂとを含む。録画部１０４ａは、地上デジタル放送チューナ１０２および衛星放送チューナ１０３の何れかからＭＰＥＧ２ストリームを取得し、取得したＭＰＥＧ２ストリームを記録装置に書き込む。録画部１０４ａは、テレビ１０に内蔵されたＢＤドライブ１０５、テレビ１０に内蔵されたＨＤドライブ１２１、および、ＵＳＢ（Universal Serial Bus）インターフェース（不図示）に接続されたＨＤドライブ（不図示）を、ＭＰＥＧ２ストリームを記録するための記録装置として利用することができる。再生部１０４ｂは、記録装置からＭＰＥＧ２ストリームを読み出し、読み出したＭＰＥＧ２ストリームから映像信号および音声信号を復号する。再生部１０４ｂにより復号された映像信号および音声信号は、それぞれ、映像セレクタ１０６および音声セレクタ１１１に供給される。
【００２９】
映像セレクタ１０６には、上述した４種類の映像信号が供給される。すなわち、（１）外部入力端子１０１（特に映像入力端子１０１ａ）から入力された映像信号、（２）地上デジタル放送チューナ１０２にて復号された映像信号、（３）衛星放送チューナ１０３にて復号された映像信号、および、（４）録画再生部１０４（特に再生部１０４ｂ）にて復号された映像信号が入力される。映像セレクタ１０６は、上記（１）〜（４）の映像信号のうちの何れか１つを選択する。映像セレクタ１０６によって選択された映像信号は、映像処理回路１０７に供給される。なお、映像セレクタ１０６が何れの映像信号を選択するかは、制御部１１８によって制御される。
【００３０】
映像処理回路１０７は、映像セレクタ１０６から供給された映像信号に画質調整処理を施す。また、映像処理回路１０７は、映像セレクタ１０６から供給された映像信号にスケーリング処理を施す。ここで、画質調整処理とは、例えば、映像信号を加工することによって、その映像信号が表す映像の輝度、シャープネス、および、コントラストの少なくとも何れかを変更することを指す。また、スケーリング処理とは、映像信号を加工することによって、その映像信号が表す映像のサイズを相似拡大または相似縮小することを指す。映像処理回路１０７によって加工された映像信号は、ＬＣＤコントローラ１０９に供給される。なお、映像処理回路１０７が画質およびサイズをどのように変更するかは、制御部１１８によって制御される。
【００３１】
ＯＳＤ生成部１０８は、制御部１１８から供給されたＯＳＤデータからＯＳＤ画像を生成（レンダリング）する。ＯＳＤ生成部１０８が生成するＯＳＤ画像としては、電子番組表などが挙げられる。ＯＳＤデータとしては、例えば、ＳＶＧ（Scalable Vector Graphics）を用いることができる。ＯＳＤ生成部１０８により生成されたＯＳＤ画像は、映像処理回路１０７から供給された映像信号に重畳され、ＬＣＤコントローラ１０９に供給される。
【００３２】
ＬＣＤコントローラ１０９は、映像処理回路１０７から供給された映像信号に基づいて、その映像信号が表す映像を表示するようにＬＣＤ１１０を駆動する表示手段として機能する。また、ＯＳＤ生成部１０８からＯＳＤ画像が供給されている場合、ＬＣＤコントローラ１０９は、映像処理回路１０７から供給された映像信号にＯＳＤ画像が重畳されたものに基づいて、その映像信号が表す映像を表示するようにＬＣＤ１１０を駆動する表示手段として機能する。
【００３３】
音声セレクタ１１１には、上述した４種類の音声信号が供給される。すなわち、（１）外部入力端子１０１（特に音声入力端子１０１ｂ）から入力された音声信号、（２）地上デジタル放送チューナ１０２にて復号された音声信号、（３）衛星放送チューナ１０３にて復号された音声信号、および、（４）録画再生部１０４（特に再生部１０４ｂ）にて復号された音声信号が入力される。音声セレクタ１１１は、上記（１）〜（４）の音声信号のうちの何れか１つを選択する。
【００３４】
音声セレクタ１１１によって選択された音声信号は、音声処理回路１１２に供給される。なお、音声セレクタ１１１が何れの音声信号を選択するかは、制御部１１８によって制御される。ただし、映像セレクタ１０６における映像の選択と、音声セレクタ１１１における音声の選択とは連動しており、例えば、映像セレクタ１０６が地上デジタル放送チューナ１０２から供給された映像信号を選択しているときには、音声セレクタ１１１も地上デジタル放送チューナ１０２から供給された音声信号を選択する。
【００３５】
音声処理回路１１２は、音声セレクタ１１１から供給された音声信号に音量調整処理を施す。また、音声処理回路１１２は、音声セレクタ１１１から供給された音声信号に音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調など）を指す。音声処理回路１１２によって加工された音声信号は、アンプ１１３に供給される。なお、音声処理回路１１２によって音量および音質をどのように変更するかは、制御部１１８によって制御される。
【００３６】
アンプ１１３は、音声処理回路１１２から供給された音声信号に基づいて、その音声信号が表す音声を出力するようにスピーカ１１４を駆動する。
【００３７】
制御部１１８は、赤外線受光部１１９が受信したリモコン信号、および、カメラ１２０が撮像した画像に応じて上記各部を制御する。赤外線受光部１１９を用いた制御としては、例えば、リモコン信号に応じて番組表を表示する制御や、番組表を表示している状態において、当該番組表において選択される番組をリモコン信号に応じて切り替える制御などが挙げられる。また、赤外線受光部１１９を用いた制御の他の例としては、地上デジタル放送チューナ１０２および衛星放送チューナ１０３の受信チャンネルをリモコン信号に応じて切り替える制御や、映像セレクタ１０６および音声セレクタ１１１にて選択する映像信号および音声信号をリモコン信号に応じて切り替える制御などが挙げられる。また、カメラ１２０を用いた制御としては、例えば、映像処理回路１０７にて画質をどのように調整するかを、撮像した画像に基づいて特定した視聴者に応じて切り替える制御などが挙げられる。
【００３８】
また、制御部１１８は、番組表の中から番組が選択された場合（具体的には、当該番組の番組セル上にカーソルが移動した場合）に表示すべきＷＥＢコンテンツの取得先を示す取得先情報と、表示画面内におけるＷＥＢコンテンツの表示領域を示す表示領域情報とを取得する。本実施形態においては、取得先情報として、ＷＥＢコンテンツのＵＲＬを示すＵＲＬ情報が用いられる。なお、番組が選択された場合に表示すべきＷＥＢコンテンツは、当該番組を放送する放送事業者が提供するＷＥＢコンテンツであってもよいし、当該番組の内容に関連したＷＥＢコンテンツ（例えば、当該番組において紹介されている商品に関するＷＥＢコンテンツ）であってもよい。さらに、番組が選択された場合に表示すべきＷＥＢコンテンツは、当該番組のスポンサー企業が提供するＷＥＢコンテンツであってもよい。また、ＷＥＢコンテンツとしては、ＵＲＬ情報が示すＵＲＬにて指定されるＷＥＢページ、ＷＥＢアプリ、及び動画コンテンツなどが挙げられる。
【００３９】
さらに、制御部１１８は、ＵＲＬ情報が示すＵＲＬからＷＥＢコンテンツを取得し、番組表の中から番組が選択された場合に、表示領域情報が示す表示領域にＷＥＢコンテンツを表示する。なお、ＵＲＬ情報及び表示領域情報の取得、ＷＥＢコンテンツの取得、及び取得したＷＥＢコンテンツの表示処理については、参照する図面を変えて後述する。
【００４０】
ＲＯＭ１１６は、制御部１１８によって実行されるプログラムなどの固定データが格納されるメモリであって、電源を落としても内容が消去されない不揮発なメモリである。一方、ＲＡＭ１１７は、制御部１１８が演算のために参照するデータや、制御部１１８が演算によって生成したデータなどの可変データが格納される、読み出し可能かつ書き込み可能なメモリである。
【００４１】
通信部１１５は、インターネットなどのネットワーク３０をテレビ１０に接続するためのインターフェースである。通信部１１５としては、例えば、インターネットに接続可能なイーサーネット（登録商標）インターフェースを挙げることができるが、これに限定されるものではない。
【００４２】
テレビ１０は、通信部１１５以外にも、外部機器を接続可能なインターフェースを備えていてもよい。外部機器を接続可能なインターフェースとしては、例えば、ＵＳＢ機器をテレビ１０に接続可能なＵＳＢインターフェースを挙げることができる。テレビ１０に接続可能なＵＳＢ機器としては、ＨＤ（ハードディスク）ドライブなどの記録装置が代表的である。
【００４３】
なお、テレビ１０の備える、外部機器を接続するためのインターフェースは、ＵＳＢインターフェースに限定されない。すなわち、ＵＳＢインターフェースは、例えば、ＡＴＡ（Advanced Technology Attachment）、ＡＴＡＰＩ（ATA Packet Interface）、ＩＥＥＥ１３９４、ＨＤＭＩ、および、ＬＡＮなどの有線接続用インターフェース、あるいは、ＩＥＥＥ８０２１１などの無線接続用インターフェースに置換することが可能である。さらに、ＳＤカードが接続されている場合には、このＳＤカードを外部機器として利用してもよい。
【００４４】
また、本実施形態においては、地上デジタル放送の方式として、ＭＰＥＧ２ストリームを多重化する方式（米国におけるＡＴＳＣ方式や日本におけるＩＳＤＢ−Ｔ方式など）を想定しているが、本発明はこれに限定されるものではない。すなわち、例えば、ＭＰＥＧ２ストリームを多重化する代わりに、ＭＰＥＧ４ストリーム等を多重化する方式（欧州におけるＤＶＢ−Ｔ／ＤＶＢ−Ｔ２方式など）に対しても本発明を適用することができる。後者の場合、復調したＭＰＥＧ４ストリームをそのまま記録媒体に記録する構成を採用してもよいし、あるいは、復調したＭＰＥＧ４ストリームをＭＰＥＧ２ストリームに変換して記録媒体に記録する構成を採用してもよい。
【００４５】
（放送システムの構成）
続いて、本発明の一実施形態に係る放送システムについて図３を参照して説明する。図３は、テレビ１０と、情報生成装置２０とを含む放送システム１の構成を示すブロック図である。
【００４６】
図３に示すように、情報生成装置２０は、ＡＶエンコーダ２０１、ＳＩ／ＥＰＧ生成部２０２（情報生成手段）、多重化処理部２０３、暗号化処理部２０４、変調処理部２０５、及び通信部（送出手段）２０６を備えている。
【００４７】
ＡＶエンコーダ２０１は、放送番組の映像信号及び音声信号を圧縮する。ＡＶエンコーダ２０１により映像信号を圧縮する方式としては、ＭＰＥＧ２が用いられる。また、ＡＶエンコーダ２０１により音声信号を圧縮する方式としては、ＡＡＣが用いられる。ＡＶエンコーダ２０１により圧縮された映像信号及び音声信号は、多重化処理部２０３に供給される。
【００４８】
ＳＩ／ＥＰＧ生成部２０２は、放送番組を制御するための制御情報、及びＥＩＴを生成する。また、ＳＩ／ＥＰＧ生成部２０２は、番組表の中から番組を選択する操作を受け付けたテレビが表示画面に表示すべきＷＥＢコンテンツの取得先を示すＵＲＬ情報と、表示画面内における上記ＷＥＢコンテンツの表示領域を示す表示領域情報とを生成する。例えば、情報生成装置２０は、ユーザ（例えば、放送番組を放送する放送事業者）からの入力操作を受け付けるように構成されており、ＳＩ／ＥＰＧ生成部２０２は、ユーザから入力された情報を参照してＵＲＬ情報及び表示領域情報を生成する。さらに、ＳＩ／ＥＰＧ生成部２０２は、生成したＥＩＴにＵＲＬ情報及び表示領域情報を付加する。ＳＩ／ＥＰＧ生成部２０２により生成された制御情報及びＥＩＴ（ＵＲＬ情報及び表示領域情報が付加されたＥＩＴ）は、多重化処理部２０３に供給される。なお、ＳＩ／ＥＰＧ生成部２０２によりＥＩＴに付加されるＵＲＬ情報及び表示領域情報の一例については、参照する図面を代えて後述する。
【００４９】
多重化処理部２０３は、ＡＶエンコーダ２０１から供給された映像信号及び音声信号と、ＳＩ／ＥＰＧ生成部２０２から供給された制御情報及びＥＩＴとを多重化してＭＰＥＧ２ストリームを生成する。多重化処理部２０３により生成されたＭＰＥＧ２ストリームは、暗号化処理部２０４に供給される。なお、多重化処理部２０３において、データ放送、文字スーパー、及び字幕等に関するデータをさらに多重化する構成としてもよい。
【００５０】
暗号化処理部２０４は、多重化処理部２０３から供給されたＭＰＥＧ２ストリームを暗号化する。暗号化処理部２０４による暗号化のアルゴリズムとしては、Ｍｕｌｔｉ２が用いられる。暗号化処理部２０４により暗号化されたＭＰＥＧ２ストリームは、変調処理部２０５に供給される。
【００５１】
変調処理部２０５は、暗号化処理部２０４から供給されたＭＰＥＧ２ストリームであって、暗号化されたＭＰＥＧ２ストリームを変調し、放送信号を生成する。変調処理部２０５による変調方式として、地上デジタル放送においてはＯＦＤＭが用いられ、衛星放送においては８ＰＳＫが用いられる。変調処理部２０５により生成された放送信号は、通信部２０６に供給される。
【００５２】
通信部２０６は、変調処理部から供給された放送信号を送出する。通信部２０６により送出される放送信号には、ＵＲＬ情報及び表示領域情報が含まれている。すなわち、通信部２０６は、テレビ１０にＵＲＬ情報及び表示領域情報を送出するための送出手段として機能する。
【００５３】
上述したように、テレビ１０は、通信部２０６から送出された放送信号を、地上デジタル放送チューナ１０２、または衛星放送チューナ１０３により受信する。
【００５４】
（ＵＲＬ情報及び表示領域情報）
次に、ＳＩ／ＥＰＧ生成部２０２において生成されるＥＩＴについて、図４を参照して説明する。図４は、ＳＩ／ＥＰＧ生成部２０２がＥＩＴに付加するＵＲＬ情報及び表示領域情報の一例を示す図である。
【００５５】
ＳＩ／ＥＰＧ生成部２０２は、ＵＲＬ情報及び表示領域情報をＥＰＧ配置記述子としてＥＩＴに付加する。図４に示す例において、ＳＩ／ＥＰＧ生成部２０２がＥＩＴに付加するＥＰＧ配置記述子には、以下の（１）〜（６）に示す情報が記述されている。
【００５６】
（１）descriptor_tag：複数の記述子を識別するための８ビットのフィールドである。
【００５７】
（２）descriptor_length：記述子のデータ部分の全バイト長を規定するための８ビットのフィールドである。
【００５８】
（３）number_of_layout：番組表の中から番組が選択された場合に表示すべきＷＥＢコンテンツの数（以下では、「配置数」とも記載する）を示す８ビットのフィールドである。
【００５９】
（４）layout_area：表示領域情報を示す８ビットのフィールドである。なお、表示領域情報が示す情報としては、例えば、表示領域「Ａ」、「Ｂ」などのように、表示画面の全表示領域を分割した複数の領域のうちの何れかの領域を示す情報であればよい。
【００６０】
（５）URL_length：ＵＲＬを構成する文字列のバイト長を示す８ビットのフィールドであり、（６）に示す情報と共にＵＲＬ情報を構成する。
【００６１】
（６）URL_byte：上記文字列を構成する各文字を示す８ビットのフィールドであり、（５）に示す情報と共にＵＲＬ情報を構成する。
【００６２】
即ち、ＳＩ／ＥＰＧ生成部２０２は、図４に示すように、ＵＲＬ情報と表示領域情報とのペアを含むＥＰＧ配置記述子を生成し、生成したＥＰＧ配置記述子をＥＩＴに付加する。配置数が複数の場合には、ＳＩ／ＥＰＧ生成部２０２は、各ＷＥＢコンテンツについてＵＲＬ情報と表示領域情報とのペアを生成し、各ペアを含むＥＰＧ配置記述子をＥＩＴに付加する。
【００６３】
（制御部１１８の構成）
次に、制御部１１８の構成について図１及び図５を参照して説明する。図１は、テレビ１０の備える制御部１１８の構成を示すブロック図である。
【００６４】
図１に示すように、制御部１１８は、情報取得部（情報取得手段）１１、コンテンツ取得部（コンテンツ取得手段）１２、及び表示処理部（表示処理手段）１３として機能するように構成されている。
【００６５】
情報取得部１１は、ＵＲＬ情報及び表示領域情報を取得するための手段として機能する。情報取得部１１は、地上デジタル放送チューナ１０２または衛星放送チューナ１０３からＥＩＴを受信することにより、ＵＲＬ情報及び表示領域情報を取得する。具体的には、情報取得部１１は、地上デジタル放送チューナ１０２または衛星放送チューナ１０３から受信したＥＩＴを構文解析（以下では、「パース」とも記載する）することにより、ＵＲＬ情報及び表示領域情報を取得する。情報取得部１１は、各番組についてＥＩＴをパースして、番組情報と、ＵＲＬ情報と表示領域情報とのペアとを関連づけた番組情報テーブルを予め生成し、ＲＡＭ１１７に格納しておく。情報取得部１１が受信したＥＩＴに、ＵＲＬ情報と表示領域情報とのペアが１対以上含まれている場合、情報取得部１１は、各ペアと番組情報とを関連づけた番組情報テーブルを生成する。
【００６６】
ここで、参照する図面を代えて、情報取得部１１が生成する番組情報テーブルの一例について説明する。図５は、情報取得部１１が生成する番組情報テーブルの一例を示す図である。図５に示すように、番組情報テーブルにおいて、各番組の番組名、番組情報、配置数、表示領域情報、及び当該番組に関連する関連ＷＥＢコンテンツ（ＵＲＬ情報）がそれぞれ関連づけられて格納されている。例えば、図５に示す番組情報テーブルにおける「番組１」に着目すると、「番組１」の配置数は「３」であり、ＵＲＬ情報と表示領域情報とのペアが３つ格納されていることがわかる。したがって、番組表の中から「番組１」が選択された場合、「ＵＲＬ１」が示すＵＲＬから取得したＷＥＢコンテンツが表示領域「Ｂ」に表示され、「ＵＲＬ２」が示すＵＲＬから取得したＷＥＢコンテンツが表示領域「Ｃ」に表示され、「ＵＲＬ３」が示すＵＲＬから取得したＷＥＢコンテンツが表示領域「Ｄ」に表示されることになる。
【００６７】
再び図１を参照する。コンテンツ取得部１２は、ＵＲＬ情報が示すＵＲＬからＷＥＢコンテンツを取得するコンテンツ取得手段として機能する。テレビ１０が番組表を表示している状態において、赤外線受光部１１９が番組表の中の何れかの番組を選択する操作指示を受信した場合に、コンテンツ取得部１２は、通信部１１５を介してネットワーク３０にアクセスし、ＷＥＢコンテンツを取得する。具体的には、コンテンツ取得部１２は、ＲＡＭ１１７に格納されている番組情報テーブルを参照して、当該操作指示により選択された番組に関連づけられているＵＲＬ情報が示すＵＲＬからＷＥＢコンテンツを取得する。例えば、ＲＡＭ１１７に格納されている番組情報テーブルにおいて、当該操作指示により選択された番組に関連づけられているＵＲＬ情報が複数存在する場合には、コンテンツ取得部１２は、各ＵＲＬ情報が示すＵＲＬからＷＥＢコンテンツをそれぞれ取得する。コンテンツ取得部１２により取得されたＷＥＢコンテンツは、表示処理部１３に供給される。
【００６８】
表示処理部１３は、番組表の中から番組が選択された場合に、表示領域情報が示す表示領域にＷＥＢコンテンツを表示する表示処理手段として機能する。表示処理部１３は、赤外線受光部１１９が受信したリモコン信号に応じて、番組表を表示する。具体的には、表示処理部１３は、ＲＡＭ１１７に格納されている番組情報テーブルを参照して、番組表画面を示すＯＳＤデータを生成し、生成されたＯＳＤデータをＯＳＤ生成部１０８に供給する。
【００６９】
さらに、表示処理部１３は、表示画面に番組表を表示している状態において、赤外線受光部１１９から番組表の中の何れかの番組を選択する操作指示を受信した場合に、コンテンツ取得部１２に対して、ＷＥＢコンテンツの取得要求を送信する。コンテンツ取得部１２に対する取得要求には、当該操作指示により何れの番組が選択されたかを示す情報が含まれている。表示処理部１３は、ＲＡＭ１１７に格納されている番組情報テーブルを参照して、コンテンツ取得部１２から供給された各ＷＥＢコンテンツが当該ＷＥＢコンテンツを表示すべき領域に配置されているような番組表画面のＯＳＤデータを生成し、生成したＯＳＤデータをＯＳＤ生成部１０８に供給する。
【００７０】
（テレビ１０の表示例）
次に、テレビ１０が表示する画面の一例について、図６から図８を参照して説明する。図６は、テレビ１０が表示する画面の一例を示す図である。
【００７１】
図６に示す例において、テレビ１０は、水平画素数７６８０×垂直画素数４３２０の画面解像度を有する表示画面Ｐに番組表画面を表示する。表示処理部１３は、図６に示すように、表示画面Ｐの全表示領域を表示領域Ａ、表示領域Ｂ、及び表示領域Ｅに分割し、表示領域Ｅに番組表を表示するように構成されている。図６に示す例において、表示領域Ａの画面解像度は、水平画素数３８４０×垂直画素数４３２０であり、表示領域Ｂ及び表示領域Ｅの画面解像度は、何れも水平画素数３８４０×垂直画素数２１６０である。図６に示す例において、表示領域情報が示す表示領域は、表示領域Ｅ以外の何れかの領域、すなわち、表示領域Ａまたは表示領域Ｂの何れかの表示領域である。図６に示す例においては、表示領域Ｅに表示される番組表の中の何れの番組も選択されていないため、表示領域Ａ及び表示領域Ｂには、ＷＥＢコンテンツが表示されていない。
【００７２】
なお、ＷＥＢコンテンツの表示領域を示す表示領域情報として、表示画面Ｐにおける当該表示領域を代表する画素（例えば、当該表示領域の左上隅の画素）の座標値と当該表示領域のサイズを示すサイズ値とのペアを採用してもよい。この場合、画面解像度が異なる複数の表示装置が番組表画面を同じレイアウトで表示することを可能にするために、各表示装置には、上記ペアを成す座標値及びサイズ値を自機の表示画面の画面解像度に応じた値に変換する構成をさらに付加すればよい。例えば、水平画素数３８４０×垂直画素数２１６０の画面解像度を有する表示画面を備えた表示装置は、水平画素数１９２０×垂直画素数１０８０の画面解像度を有する表示画面を基準とする表示領域情報を取得した場合、当該表示領域情報に含まれる座標値およびサイズ値を２倍し、得られた座標値とサイズ値とから定まる表示領域にＷＥＢコンテンツを表示してもよい。また、ＷＥＢコンテンツの表示領域を示す表示領域情報として、表示画面Ｐにおける当該表示領域の四隅の画素の各々の座標値を示す情報を採用してもよい。
【００７３】
図７は、テレビ１０が表示する番組表画面の他の一例を示す図である。図７に示す例においても、テレビ１０は、水平画素数７６８０×垂直画素数４３２０の画面解像度を有する表示画面Ｐに番組表画面を表示する。表示処理部１３は、図７に示すように、表示画面Ｐの全表示領域を表示領域Ｂ、表示領域Ｃ、表示領域Ｄ、及び表示領域Ｅに分割し、表示領域Ｅに番組表を表示するように構成されている。図７に示す例において、表示領域Ｂ、表示領域Ｃ、表示領域Ｄ、及び表示領域Ｅの画面解像度は、何れも水平画素数３８４０×垂直画素数２１６０である。図７に示す例において、表示領域情報が示す表示領域は、表示領域Ｅ以外の何れかの領域、すなわち、表示領域Ｂ、表示領域Ｃ、または表示領域Ｄの何れかの表示領域である。図７に示す例においては、表示領域Ｅに表示される番組表の中の何れの番組も選択されていないため、表示領域Ｂ、表示領域Ｃ、及び表示領域Ｄには、ＷＥＢコンテンツが表示されていない。なお、図７に示す例においても、表示領域情報が示す表示領域を、当該表示領域を代表する画素の座標値と当該表示領域のサイズを示すサイズ値とのペアにて示す構成としてもよい。
【００７４】
図８は、テレビ１０が表示する番組表画面の他の一例を示す図である。図８（ａ）は、或る番組が選択された場合に表示すべきＷＥＢコンテンツのＵＲＬ情報及び表示領域情報のペアの一例を示し、図８（ｂ）は、図８（ａ）に示す各ペアについて、当該ペアを成すＵＲＬ情報が示すＵＲＬから取得したＷＥＢコンテンツを表示する場合の番組表画面の一例を示している。なお、図８（ｂ）に示す番組表画面の構成は、図７に示す番組表画面の構成と同様であるため、その説明を省略する。図８（ｂ）に示す例においては、表示画面Ｐの表示領域Ｅに表示される番組表の中から、「番組１０」が選択されている。
【００７５】
図８（ａ）は、番組表の中から、「番組１０」が選択された場合に表示すべきＷＥＢコンテンツのＵＲＬ情報と表示領域情報とのペアを示している。図８（ａ）に示すように、番組表の中から「番組１０」が選択された場合の配置数は「３」であり、表示領域Ｂ、表示領域Ｃ、及び表示領域Ｄの各々に、ＷＥＢコンテンツが表示される。
【００７６】
図８に示す例において、表示領域Ｂに表示されるコンテンツは、「番組１０」のスポンサー企業が提供するＷＥＢコンテンツである。また、図８に示す例において、表示領域Ｃに表示されるＷＥＢコンテンツは、「番組１０」を放送する放送事業者が提供するＷＥＢコンテンツであって、「番組１０」の内容（例えば、当該番組のタイムスケジュールなど）を紹介するＷＥＢコンテンツである。さらに、図８に示す例において、表示領域Ｄに表示されるＷＥＢコンテンツは、「番組１０」の内容に関連するＷＥＢコンテンツであり、例えば、「番組１０」において紹介されている店舗が提供するＷＥＢコンテンツである。
【００７７】
図８に示すように、テレビ１０は、番組表の中から番組が選択された場合に表示すべきＷＥＢコンテンツを、予め定められたレイアウトで表示することができるので、当該番組を選択したユーザに対して有益な情報を提供することができる。
【００７８】
なお、図６〜図８に示す番組表画面は、テレビ１０が表示する番組表画面の一例であって、本発明はこれに限定されるものではない。例えば、表示画面Ｐの中央部に番組表を表示する表示領域を配置するとともに、その周囲にＷＥＢコンテンツを表示する表示領域を配置する構成としてもよい。
【００７９】
（テレビ１０の動作）
次に、テレビ１０が番組表を表示する操作指示を受信した場合の動作の一例について図９を参照して説明する。図９はテレビ１０が番組表を表示する際の動作の一例を示すフローチャートである。
【００８０】
（ステップＳ１０１）
まず、赤外線受光部１１９が番組表を表示する操作指示を示すリモコン信号を受信すると、表示処理部１３により番組表が生成され、ＬＣＤ１１０に表示される。
【００８１】
（ステップＳ１０２）
続いて、テレビ１０は、Ｓ１０１にて表示した番組表の中の何れかの番組を選択する操作指示を受信するまで待機する。Ｓ１０１にて表示した番組表の中の何れかの番組を選択する操作指示を受信すると、テレビ１０は、Ｓ１０３の処理に進む。なお、本実施形態において、テレビ１０は、番組表の中の何れかの番組を選択する操作指示を受信するまで待機する構成としているが、これは本発明を限定するものではない。例えば、Ｓ１０１において、番組表を表示する直前に表示されていた番組が選択された状態の番組表を表示する構成としてもよい。上記の場合には、Ｓ１０１の直後には、Ｓ１０２の処理を行わず、Ｓ１０３の処理に進む構成としてもよい。
【００８２】
（ステップＳ１０３）
続いて、表示処理部１３は、ＲＡＭ１１７に格納されている番組情報テーブル（具体的には、Ｓ１０２にて選択された番組に対応するレコード）を参照して、表示すべきＷＥＢコンテンツの配置数、すなわち、Ｓ１０２にて選択された番組に関連付けて格納されている配置数を取得する。そして、表示処理部１３は、規定の変数（これから表示すべきＷＥＢコンテンツの数を示す値）の値を、取得した配置数を示す値に設定する。ここで、当該配置数を示す値が０である場合には、Ｓ１０２にて選択された番組に関連して表示すべきＷＥＢコンテンツが存在していないことを意味している。
【００８３】
（ステップＳ１０４）
続いて、表示処理部１３は、規定の変数の値が０であるか否かを判定する。ここで、後述するＳ１０７の直後の本ステップにおける規定の変数の値が０である場合には、Ｓ１０２にて選択された番組に関連して表示すべきＷＥＢコンテンツが全て表示されたことを意味している。規定の変数の値が０であると判定された場合、テレビ１０は、Ｓ１０８の処理に進む。また、規定の変数の値が０でないと判定された場合、テレビ１０は、Ｓ１０５の処理に進む。
【００８４】
（ステップＳ１０５）
続いて、表示処理部１３は、Ｓ１０２にて選択された番組に関連して表示すべきＷＥＢコンテンツのうち、表示されていないＷＥＢコンテンツの取得要求を、コンテンツ取得部１２に送信する。コンテンツ取得部１２は、ＲＡＭ１１７に格納されている番組情報テーブルを参照して、Ｓ１０２にて選択された番組に関連付けて格納されているＵＲＬ情報を取得する。コンテンツ取得部１２は、通信部１１５を介して、取得したＵＲＬ情報が示すＵＲＬからＷＥＢコンテンツを取得する。コンテンツ取得部１２は、取得したＷＥＢコンテンツを表示処理部１３に供給する。
【００８５】
（ステップＳ１０６）
続いて、表示処理部１３は、ＲＡＭ１１７に格納されている番組情報テーブルを参照して、Ｓ１０５にて供給されたＷＥＢコンテンツの取得先を示すＵＲＬ情報とペアを成す表示領域情報が示す表示領域に当該ＷＥＢコンテンツを表示する。
【００８６】
（ステップＳ１０７）
続いて、表示処理部１３は、規定の変数の値を１減らし、Ｓ１０４の処理に戻る。
【００８７】
（ステップＳ１０８）
Ｓ１０４にて、規定の変数の値が０であると判定された場合、テレビ１０は、番組表の表示を終了する操作指示（リモコンの番組表ボタンを押下する操作指示）を受信したか否かを判定する。ここで、番組表の表示を終了する操作指示には、例えば、Ｓ１０２にて選択された番組を視聴することを示す操作指示（例えば、リモコンの決定ボタンを押下する操作指示）なども含まれる。番組表の表示を終了する操作指示を受信したと判定された場合、テレビ１０は、番組表の表示処理を終了する。また、番組表の表示を終了する操作指示を受信していないと判定された場合、テレビ１０は、Ｓ１０２に処理を戻し、現在選択されている番組と異なる番組を選択する操作指示を受信するまで待機する。
【００８８】
以上のように、テレビ１０は、番組表と、番組表の中から番組が選択された場合に表示すべきＷＥＢコンテンツを、予め放送事業者により定められたレイアウトで表示することができる。
【００８９】
なお、本実施形態では、テレビ１０が表示する番組表が、既に放送が終了した番組の番組情報を参照することが可能なように構成されていてもよい。テレビ１０が表示する番組表を上記のように構成することにより、例えば、過去に放送された番組において紹介されていた商品に関する情報を、ユーザに提示することも可能になる。上記の構成を採用する場合には、例えば、ＲＡＭ１１７に格納されている番組情報テーブルに含まれる各番組の情報を、当該番組の放送終了後一定期間（例えば、一週間など）が経過した後に破棄するような構成とすればよい。
【００９０】
〔第２の実施形態〕
第１の実施形態においては、表示処理部１３は、表示画面の全表示領域を分割した所定の複数の領域の中から予め決められた或る領域に番組表を表示するようになっているが、本発明はこれに限定されない。本実施形態においては、テレビ１０において番組表が表示される表示領域を変更することが可能である。
【００９１】
本実施形態において、情報生成装置２０の備えるＳＩ／ＥＰＧ生成部２０２は、番組表の表示領域を示す番組表表示領域情報を生成し、生成した番組表表示領域情報をＥＩＴにさらに付加する。また、本実施形態において、テレビ１０の備える情報取得部１１は、番組表表示領域情報を更に取得する。情報取得部１１は、番組表表示領域情報がさらに含まれた番組情報テーブルを生成し、ＲＡＭ１１７に格納する。表示処理部１３は、ＲＡＭ１１７に格納されている番組情報テーブルを参照して、番組表を番組表表示領域情報が示す表示領域に表示する。
【００９２】
上記の構成によれば、例えば、図７に示す番組表画面を表示する場合において、表示領域Ｅ以外の表示領域Ｂ、表示領域Ｃ、または表示領域Ｄの何れかに番組表を表示することができる。したがって、例えば、番組表表示領域情報が示す表示領域が表示領域Ｄである場合には、番組が選択された場合に表示すべきＷＥＢコンテンツの表示領域情報が示す表示領域は、表示領域Ｄ以外の表示領域Ｂ、表示領域Ｃ、または表示領域Ｅの何れかの表示領域である。
【００９３】
本実施形態に係るテレビ１０においても、番組表と、番組表の中から番組が選択された場合に表示すべきＷＥＢコンテンツを、予め外部で定められたレイアウトで表示することができる。
【００９４】
〔第３の実施形態〕
上述の各実施形態においては、ＵＲＬ情報及び表示領域情報がＥＩＴに付加されて送出される構成について説明したが、本発明はこれに限定されるものではない。例えば、情報生成装置２０を、各番組について生成したＵＲＬ情報及び表示領域情報をＥＩＴに付加することなく、テレビ１０に送出するように構成してもよい。
【００９５】
また、例えば、情報生成装置２０を、放送番組及び放送番組に付加されたＥＩＴを送出する装置とは別体の装置として構成してもよい。上記の場合、情報生成装置２０は、各番組について生成したＵＲＬ情報及び表示領域情報を、ネットワーク３０を介してテレビ１０に送出する構成としてもよい。また、上記の場合、テレビ１０は、通信部１１５を介してネットワーク３０にアクセスし、ＵＲＬ情報及び表示領域情報を取得する構成としてもよい。
【００９６】
本実施形態に係るテレビ１０においても、番組表と、番組表の中から番組が選択された場合に表示すべきＷＥＢコンテンツを、予め外部で定められたレイアウトで表示することができる。
【００９７】
〔付記事項１〕
上述の実施形態では、表示領域情報の例として、表示領域を表すlayout_areaフィールドの値、及び、表示領域の代表画素の座標値と当該表示領域のサイズを示すサイズ値とのペアを挙げた。しかしながら、表示領域情報は、これらには限定されない。表示領域情報の他の例（表示領域情報に、当該layout_areaフィールドの値、又は、当該座標値と当該サイズ値とのペアに加え、後述のレイヤー値が含まれている例）について、図１０を参照して説明する。図１０は、テレビ１０が表示する番組表画面の他の例を示す図である。
【００９８】
図１０（ａ）は、表示画面の右半分に３つのＷＥＢコンテンツが互いに重なりあうように配置された番組表画面の一例を示している。図１０（ａ）に示すように、１番目のＷＥＢコンテンツに対応するレイヤーＣの背後には、レイヤーＣの一部と重なるように２番目のＷＥＢコンテンツに対応するレイヤーＣ１が配置されており、レイヤーＣ１の背後には、レイヤーＣ１の一部と重なるように３番目のＷＥＢコンテンツに対応するレイヤーＣ２が配置されている。
【００９９】
図１０（ａ）に示す例においては、テレビ１０は、時間の経過とともにアクティブなレイヤー（即ち、上記３つのＷＥＢコンテンツのうちの表示対象となるＷＥＢコンテンツ）を自動的に切り替えるようになっている。
【０１００】
具体的には、テレビ１０は、表示領域情報の中でレイヤー値（即ち、対応するＷＥＢコンテンツを何番目のレイヤーのＷＥＢコンテンツであるかを示す値）のみが異なる複数のＷＥＢコンテンツ（上記３つのＷＥＢコンテンツ）を特定する。そして、テレビ１０は、レイヤー値の小さい順に、上記３つのＷＥＢコンテンツを表示するようになっている。
【０１０１】
図１０（ｂ）は、表示画面の右半分に表示すべきＷＥＢコンテンツを３つのＷＥＢコンテンツの中からユーザが選択できるように構成された番組表画面の一例を示している。
【０１０２】
テレビ１０は、図１０（ｂ）の番組表画面を表示するために、表示領域情報の中でレイヤー値のみが異なるＷＥＢコンテンツの個数を特定し、特定した３つのタブ（レイヤーＣのタブ、レイヤーＣ１のタブ、及び、レイヤーＣ２のタブ）を表示するとともに、レイヤーＣのタブに対応するＷＥＢコンテンツ（即ち、３つのＷＥＢコンテンツの中でレイヤー値が最も小さいＷＥＢコンテンツ）を、その表示領域情報が示す表示領域（図１０（ｂ）の例では、表示画面の右半分）に表示する。
【０１０３】
そして、テレビ１０は、ユーザが何れかのタブ（例えば、レイヤーＣ２のタブ）を選択したことを検出すると、表示画面の右半分に表示すべきＷＥＢコンテンツを、選択されたタブに対応するＷＥＢコンテンツ（当該例では、３つのＷＥＢコンテンツの中でレイヤー値が最も大きいＷＥＢコンテンツ）に切り替えるようになっている。
【０１０４】
〔テレビ１０の構成例〕
図１１は、上述の各実施形態に係るテレビ１０の構成例を示す外観図である。テレビ１０の構成例は、例えば、図１１（ａ）に示す構成でもよい。図１１（ａ）に例示したテレビ１０は、外付ディスプレイ２と無線通信により接続されており、テレビ１０がＬＣＤ１１０（内蔵ディスプレイ）を備えていない場合においても、外付ディスプレイ２に画像を表示することができる。なお、テレビ１０と、外付ディスプレイ２との接続は有線接続であってもよい。また、テレビ１０の構成例として、例えば、図１１（ｂ）に示す構成としてもよい。図１１（ｂ）におけるテレビ１０は、上述の各実施形態にて説明した通り、ＬＣＤ１１０（内蔵ディスプレイ）を備えている。また、テレビ１０の構成例として、例えば、図１１（ｃ）に示すような構成としてもよい。図１１（ｃ）におけるテレビ１０は、例えば、ＤＶＤ（Digital Versatile Disc）プレーヤなどの外部機器３により再生された画像を表示するものであってもよい。
【０１０５】
〔ソフトウェアによる実現例〕
テレビ１０の制御ブロック（特に情報取得部１１、コンテンツ取得部１２、および表示処理部１３）は、集積回路（ＩＣチップ）等に形成された論理回路（ハードウェア）によって実現してもよいし、ＣＰＵ（Central Processing Unit）を用いてソフトウェアによって実現してもよい。
【０１０６】
後者の場合、テレビ１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１０７】
〔まとめ〕
本発明の態様１に係る表示処理装置（テレビ１０）は、外部又は内部の表示画面に番組表を表示する表示処理装置であって、上記番組表の中から番組が選択された場合に表示すべきＷＥＢコンテンツの取得先（ＵＲＬ）を示す取得先情報（ＵＲＬ情報）と、上記表示画面内における上記ＷＥＢコンテンツの表示領域を示す表示領域情報とを取得する情報取得手段（情報取得部１１）と、上記取得先情報が示す上記取得先から上記ＷＥＢコンテンツを取得するコンテンツ取得手段（コンテンツ取得部１２）と、上記番組表の中から上記番組が選択された場合に、上記表示領域情報が示す上記表示領域に上記ＷＥＢコンテンツを表示する表示処理手段（表示処理部１３）と、を備えている。
【０１０８】
上記の構成によれば、上記表示処理装置は、上記取得先情報と、上記表示領域情報とを取得することにより、上記番組表の中から上記番組が選択された場合に、上記表示領域情報が示す表示領域に取得したＷＥＢコンテンツを表示することができる。
【０１０９】
したがって、上記の構成によれば、上記表示画面内における上記ＷＥＢコンテンツの表示領域が上記表示領域情報によって予め定められているので、上記表示処理装置は、上記ＷＥＢコンテンツを、予め外部で定められたレイアウトで表示することができる。
【０１１０】
なお、番組が選択された場合に表示すべきＷＥＢコンテンツは、当該番組を放送する放送事業者が提供するＷＥＢコンテンツであってもよいし、当該番組の内容に関連したＷＥＢコンテンツ（例えば、当該番組において紹介されている商品に関するＷＥＢコンテンツ）であってもよい。さらに、番組が選択された場合に表示すべきＷＥＢコンテンツは、当該番組のスポンサー企業が提供するＷＥＢコンテンツであってもよい。
【０１１１】
本発明の態様２に係る表示処理装置は、上記態様１において、上記情報取得手段は、上記取得先情報及び上記表示領域情報を含むイベント情報テーブル（ＥＩＴ）を受信することにより、上記取得先情報及び上記表示領域情報を取得する、ことが好ましい。
【０１１２】
上記の構成によれば、上記取得先情報及び上記表示領域情報は、イベント情報テーブルに含まれている。イベント情報テーブルとは、上記番組を示す放送信号に付加されて送出されるものである。すなわち、上記表示処理装置は、上記番組を放送する放送事業者により定められた上記取得先情報及び上記表示領域情報を取得する。
【０１１３】
したがって、上記の構成によれば、上記表示処理装置は、上記番組表の中から上記番組が選択された場合に表示すべきＷＥＢコンテンツを、当該番組を放送する放送事業者により定められたレイアウトで表示することができる。
【０１１４】
本発明の態様３に係る表示処理装置は、上記態様２において、上記表示処理手段は、上記表示画面（表示画面Ｐ）の全表示領域を分割した所定の複数の領域の中から予め決められた或る領域（表示領域Ｅ）に上記番組表を表示するようになっており、上記表示領域情報が示す表示領域は、上記所定の複数の領域のうちの、上記或る領域以外の何れかの領域（表示領域Ａ〜Ｄ）であり、上記表示処理手段は、上記情報取得手段が受信した上記イベント情報テーブルに上記取得先情報と上記表示領域情報とのペアが１対以上含まれている場合に、各ペアについて、当該ペアを成す表示領域情報が示す表示領域に、当該ペアを成す取得先情報が示す取得先から取得したＷＥＢコンテンツを表示する、ことが好ましい。
【０１１５】
上記の構成によれば、上記表示処理装置は、上記番組表と、上記ＷＥＢコンテンツとを、互いに異なる表示領域に表示することができる。また、上記イベント情報テーブルに上記取得先情報と上記表示領域情報とのペアが１対以上含まれている場合、すなわち、上記番組表の中から上記番組が選択された場合に表示すべきＷＥＢコンテンツが複数存在する場合に、各ＷＥＢコンテンツを上記番組表が表示される表示領域と異なる表示領域に表示することができる。
【０１１６】
したがって、上記の構成によれば、上記表示処理装置は、上記番組表と、各ＷＥＢコンテンツとを区別可能に表示することができるので、上記表示処理装置のユーザに対して、上記番組に関連する情報を確実に提供することができる。
【０１１７】
本発明の態様４に係る表示処理装置は、上記態様１又は２において、上記情報取得手段は、上記番組表の表示領域を示す番組表表示領域情報を更に取得するようになっており、上記表示処理手段は、上記番組表表示領域情報が示す表示領域に上記番組表を表示する、ことが好ましい。
【０１１８】
上記の構成によれば、上記表示処理装置は、上記番組表表示領域情報を取得することにより、上記番組表を上記番組表表示領域情報が示す表示領域に表示することができる。
【０１１９】
したがって、上記の構成によれば、上記表示処理装置は、上記番組表及び上記ＷＥＢコンテンツを予め外部で定められたレイアウトで表示することができる。
【０１２０】
本発明の態様５に係るテレビジョン受像機は、上記態様１から４に係る表示処理装置を備えている。
【０１２１】
上記の構成によれば、上記表示処理装置と同様の効果を奏する。
【０１２２】
本発明の態様６に係る情報生成装置２０は、番組表の中から番組を選択する操作を受け付けた表示処理装置が表示画面に表示すべきＷＥＢコンテンツの取得先を示す取得先情報と、上記表示画面内における上記ＷＥＢコンテンツの表示領域を示す表示領域情報とを生成する情報生成手段（ＳＩ／ＥＰＧ生成部２０２）と、上記情報生成手段により生成された上記取得先情報及び上記表示領域情報を送出する送出手段（通信部２０６）と、を備えている。
【０１２３】
上記の構成によれば、上記情報生成装置は、上記取得先情報及び上記表示領域情報を生成し、上記表示処理装置に送出することができる。これにより、上記情報生成装置は、上記表示処理装置が上記番組表の中から上記番組を選択する操作を受け付けた場合に、上記表示処理装置に、上記ＷＥＢコンテンツを取得させるとともに、上記表示領域情報が示す表示領域に取得した上記ＷＥＢコンテンツを表示させることができる。
【０１２４】
したがって、上記の構成によれば、上記表示画面内における上記ＷＥＢコンテンツの表示領域が、上記情報生成装置が生成する上記表示領域情報によって予め定められているので、上記情報生成装置は、上記表示処理装置に上記ＷＥＢコンテンツを予め定められたレイアウトで表示させることができる。
【０１２５】
本発明の態様７に係る放送システム１は、上記態様１から４に係る表示処理装置と、上記態様６に係る情報生成装置と、を含んでいる。
【０１２６】
上記の構成によれば、上記の表示処理装置と同様の効果を奏する。
【０１２７】
本発明の態様８に係る表示処理方法は、表示画面に番組表を表示する表示処理装置の表示処理方法であって、上記番組表の中から番組が選択された場合に表示すべきＷＥＢコンテンツの取得先を示す取得先情報と、上記表示画面内における上記ＷＥＢコンテンツの表示領域を示す表示領域情報とを取得する情報取得工程と、上記取得先情報が示す上記取得先から上記ＷＥＢコンテンツを取得するコンテンツ取得工程と、上記番組表の中から上記番組が選択された場合に、上記表示領域情報が示す上記表示領域に上記ＷＥＢコンテンツを表示する表示処理工程と、を含んでいる。
【０１２８】
上記の構成によれば、上記の表示処理装置と同様の効果を奏する。
【０１２９】
本発明の各態様に係る表示処理装置は、コンピュータによって実現してもよく、この場合には、コンピュータを上記表示処理装置が備える各手段として動作させることにより上記表示処理装置をコンピュータにて実現させる表示処理装置の制御プログラム、およびそれを記録したコンピュータ読み取り可能な記録媒体も、本発明の範疇に入る。
【０１３０】
〔付記事項２〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１３１】
本発明は、番組表を表示することのできるテレビジョン受像機、携帯電話、スマートフォン、タブレット端末、パーソナルコンピュータ、及び、カーナビゲーションシステムなどに、好適に適用することができる。
【符号の説明】
【０１３２】
１      放送システム
１０      テレビ（表示処理装置）
１１      情報取得部（情報取得手段）
１２      コンテンツ取得部（コンテンツ取得手段）
１３      表示処理部（表示処理手段）
２０      情報生成装置
２０２    ＳＩ／ＥＰＧ生成部（情報生成手段）
２０６    通信部（送出手段）
【図１】
0006279422.tif 000002
【図２】
0006279422.tif 000003
【図３】
0006279422.tif 000004
【図４】
0006279422.tif 000005
【図５】
0006279422.tif 000006
【図６】
0006279422.tif 000007
【図７】
0006279422.tif 000008
【図８】
0006279422.tif 000009
【図９】
0006279422.tif 000010
【図１０】
0006279422.tif 000011
【図１１】
0006279422.tif 000012